(57)【要約】【課題】ユーザがネットワーク機器の設置場所を探す際の手間を軽減することができるネットワーク機器検知システムを提供する。【解決手段】ネットワーク機器検知システム１は、ネットワーク機器２ａ，２ｂ、管理装置３及びアクセスポイント４がＩＰネットワーク６を介して相互に通信可能であり、携帯端末５はアクセスポイント４と無線通信する構成となっている。ユーザが携帯端末５から設置場所を検知したいネットワーク機器の情報を管理装置３へ送信すると、管理装置３はネットワーク機器２ａ，２ｂへ発光部８ａ，８ｂやブザーを動作させることを指示する。指示を受けて、ネットワーク機器２ａ，２ｂが発光部８ａ，８ｂを点灯し、ブザーを鳴らすことにより、ユーザは目的とするネットワーク機器２ａ，２ｂの設置場所を検知することができる。【選択図】図１
2013134516.tif 000002
【特許請求の範囲】
【請求項１】
外部へ音・光等で位置を報知する位置報知手段を有するネットワーク機器と、
ネットワークを介して前記ネットワーク機器と通信可能であり、前記ネットワーク機器の機器設置場所情報を保持する管理装置と、
前記ネットワークを介して前記管理装置と通信可能であるアクセスポイントと、
前記アクセスポイントと無線通信する携帯端末と
から構成され、
前記携帯端末は、
外部に報知したい前記ネットワーク機器の情報を前記管理装置へ送信する機器情報送信手段と、
を備え、
前記管理装置は、
前記機器情報送信手段により送信された前記ネットワーク機器の情報に基づいた前記ネットワーク機器の前記位置報知手段に対し、外部への報知を指示する位置報知指示手段と、
を備える、
ネットワーク機器検知システム。
【請求項２】
前記携帯端末は、
前記管理装置から前記機器設置場所情報を取得する機器設置場所情報取得手段と、
前記機器設置場所情報を表示する機器設置場所情報表示手段と、
を備え、
前記管理装置は、
前記携帯端末へ前記機器設置場所情報を送信する機器設置場所情報送信手段
を備える、
請求項１に記載のネットワーク機器検知システム。
【請求項３】
前記機器設置場所情報表示手段は、前記機器設置場所情報をツリー状に階層化された情報として表示する、
請求項２に記載のネットワーク機器検知システム。
【請求項４】
前記機器設置場所情報表示手段は、前記ネットワーク機器のＩＰアドレス、機器設置場所、及び前記位置報知手段の状態を表示する、
請求項２又は３に記載のネットワーク機器検知システム。
【請求項５】
前記管理装置は、前記ネットワーク機器の接続確認を行う機器接続確認手段を備える、
請求項１乃至４何れか１項に記載のネットワーク機器検知システム。
【発明の詳細な説明】
【技術分野】
【０００１】
本発明は、ネットワーク機器検知システムに関するものである。
【背景技術】
【０００２】
本技術分野の背景技術として、特許文献１には、「ネットワークシステム２０を構成するネットワーク集線装置ＳＷ１は、管理コンピュータＰＣから所定のｈｔｔｐ要求を受けると、ＷＥＢブラウザ上で操作可能な管理画面を表示するデータを応答する。ユーザが、管理コンピュータＰＣのディスプレイに表示された管理画面を用いて、所定のコマンドを送信すると、ネットワーク集線装置ＳＷ１は、ブザー７４を鳴動させると共に、ループ表示ＬＥＤ７２を点滅させる。」ことが記載されている。
【先行技術文献】
【特許文献】
【０００３】
【特許文献１】特開２００９−２３９９０２号公報
【発明の概要】
【発明が解決しようとする課題】
【０００４】
ネットワーク機器は、異なる建屋、異なるフロア、異なる部屋というように多数の場所に分散されて設置されていることが多い。背景技術において、管理コンピュータの設置場所とユーザが目的とするネットワーク機器の設置場所が離れている場合、ユーザは、管理コンピュータの設置場所に移動して管理コンピュータからコマンドを送信し、その後、目的のネットワーク機器の設置場所へ移動する必要がある。このような作業は、ユーザにとって手間がかかるという問題がある。
【０００５】
そこで、本発明は、ユーザがネットワーク機器の設置場所を探す際の手間を軽減することができるネットワーク機器検知システムを提供することを目的とする。
【課題を解決するための手段】
【０００６】
本発明は上記目的を達成するために創案されたものであり、その要旨は、外部へ音・光等で位置を報知する位置報知手段を有するネットワーク機器と、ネットワークを介して前記ネットワーク機器と通信可能であり、前記ネットワーク機器の機器設置場所情報を保持する管理装置と、前記ネットワークを介して前記管理装置と通信可能であるアクセスポイントと、前記アクセスポイントと無線通信する携帯端末とから構成され、前記携帯端末は、外部に報知したい前記ネットワーク機器の情報を前記管理装置へ送信する機器情報送信手段と、を備え、前記管理装置は、前記機器情報送信手段により送信された前記ネットワーク機器の情報に基づいた前記ネットワーク機器の前記位置報知手段に対し、外部への報知を指示する位置報知指示手段と、を備える、ネットワーク機器検知システムである。
【発明の効果】
【０００７】
本発明によれば、ユーザがネットワーク機器の設置場所を探す際の手間を軽減することができる。
【図面の簡単な説明】
【０００８】
【図１】本発明の実施の形態に係るネットワーク機器検知システムの構成を示す図である。
【図２】本発明の実施の形態に係る携帯端末の機能構成図である。
【図３】本発明の実施の形態に係る管理装置の機能構成図である。
【図４】本発明の実施の形態に係るネットワーク機器検知システムのシーケンス図である。
【図５】本発明の実施の形態に係るネットワーク機器検知システムの管理装置が有するデータベースの例である。
【図６】本発明の実施の形態に係るネットワーク機器検知システムの管理装置が有するデータベースをツリー構造化した例である。
【図７】本発明の実施の形態に係るネットワーク機器検知システムの携帯端末が表示部に表示する例である。
【発明を実施するための形態】
【０００９】
以下に、本発明の実施の形態を図面を用いて説明する。
【００１０】
図１は、本発明の実施の形態に係るネットワーク機器検知システムの構成を示す図である。
【００１１】
ネットワーク機器検知システム１は、検知対象となるネットワーク機器２ａ，２ｂ、ネットワーク機器の管理を行う管理装置３、無線通信を行うためのアクセスポイント４、ユーザが操作を行う携帯端末５から構成される。ネットワーク機器２ａ，２ｂ、管理装置３、およびアクセスポイント４は、ＩＰネットワーク（ネットワーク）６によって相互に通信可能に接続されている。
【００１２】
ネットワーク機器２ａ，２ｂは、例えば、ネットワークスイッチやルータである。ネットワーク機器２ａ，２ｂは、部屋、フロア、建屋等に分散されて設置されている。ネットワーク機器２ａ，２ｂはそれぞれ、通信ポート７ａ，７ｂを有している。ネットワーク機器２ａ，２ｂは、通信ポート７ａ，７ｂからイーサネット（登録商標）等のネットワークによって、別のネットワーク機器もしくは端末に接続される。ネットワーク機器２ａ、２ｂは、ＩＰネットワーク６によって、管理装置３およびアクセスポイント４と通信可能に接続されている。また、ネットワーク機器２ａ、２ｂは、外部へ音・光等で位置を報知する位置報知手段を有している。本実施の形態では、位置報知手段として発光部８ａ、８ｂおよびブザー（図示せず）を有している。
【００１３】
管理装置３は、ＩＰネットワーク６上に設置されたネットワーク機器２ａ、２ｂの情報を一元化し集中管理を行っている。管理装置３は、ネットワーク機器２ａ、２ｂの情報として、機器設置場所情報を保持している。機器設置場所情報は、ネットワーク機器の名称、ＩＰアドレス、設置場所等を対応付けて登録したデータベースである。ネットワーク機器２ａ、２ｂの設置場所の情報としては、広域の情報から局所的な情報までをそれぞれ有している。機器設置場所情報はネットワーク機器２ａ、２ｂの設置場所の情報をツリー構造で階層化して保持している。
【００１４】
携帯端末５は、無線通信用デバイスを有しており、アクセスポイント４と無線通信することができる。携帯端末５は、アクセスポイント４を介することでＩＰネットワーク６と接続される。携帯端末５は、ＩＰネットワーク６と接続することにより、管理装置３と通信を行うことが可能となる。
【００１５】
図２は、携帯端末５の機能構成図である。
【００１６】
携帯端末５は、ユーザインターフェースとして、情報を表示するための表示部１０と、ユーザが情報を入力するための入力部１１を有する。さらに、本実施の形態の携帯端末５は、管理装置３から機器設置場所情報を取得する機器設置場所情報取得手段１２と、機器設置場所情報を表示する機器設置場所情報表示手段１３と、外部に位置報知手段によって報知したいネットワーク機器２ａ、２ｂの情報を管理装置３へ送信する機器情報送信手段１４とを備える。機器設置場所情報取得手段１２、機器設置場所情報表示手段１３、および機器情報送信手段１４は、具体的に、携帯端末にインストールされた位置検索のためのソフトウェア（以下、「位置検索ソフト」）と位置検索ソフトに基づいた電子デバイスの動作によって実現される。
【００１７】
図３は、管理装置３の機能構成図である。
【００１８】
本実施の形態の管理装置３は、携帯端末５へ機器設置場所情報を送信する機器設置場所情報送信手段１５と、ネットワーク機器の接続確認を行う機器接続確認手段１６と、機器情報送信手段１４により送信されたネットワーク機器２ａ、２ｂの情報に基づいたネットワーク機器２ａ、２ｂの位置報知手段に対し、外部への報知を指示する位置報知指示手段１７とを備える。機器設置場所情報送信手段１５、機器接続確認手段１６、および位置報知指示手段１７は、具体的に、管理装置３にインストールされたデータベースの情報を管理するためのソフトウェア（以下、「管理ソフト」）と管理ソフトに基づいた電子デバイスの動作によって実現される。
【００１９】
次に、本実施の形態のネットワーク機器検知システム１の動作を説明する。図４は、ネットワーク機器検知システム１のシーケンス図である。図５は、管理装置３が有するデータベース（機器設置場所情報）の例である。図６は、管理装置３が有するデータベースをツリー構造化した例である。図７は、携帯端末５が機器設置場所情報を表示部に表示する例である。
【００２０】
ユーザは携帯端末５を操作し、位置検索ソフトを起動する（ステップＳ２１）。
【００２１】
携帯端末５は、管理装置３から機器設置場所情報を取得する機器設置場所情報取得手段１２としての位置検索ソフトの動作として、管理装置３に対して接続要求を行う（ステップＳ２２）。
【００２２】
接続要求を受けた管理装置３は、管理ソフトを起動する（ステップＳ２３）。携帯端末５と管理装置３は接続を確立する（ステップＳ２４）。
【００２３】
管理装置３は、ネットワーク機器２ａ，２ｂの接続確認を行う機器接続確認手段１６としての管理ソフトの動作として、ネットワーク機器２ａ，２ｂに対して接続確認を送信する（ステップＳ２５）。管理装置３は、ネットワーク機器２ａ，２ｂからの応答を受信すると（ステップＳ２６）、ネットワーク機器２ａ，２ｂとの通信状況（通信可能であるか否か）を付加情報としてデータベースの情報に加える。
【００２４】
データベースの情報は、図５に示すように、ネットワーク機器の名称（図中、「名称」）、ＩＰアドレス（図中、「ＩＰ」），ネットワーク機器の設置場所（図中、「設置場所１」「設置場所２」「設置場所３」）を有している。このデータベースの情報は図６のようなツリー構造としての情報を持っている。このデータベースの情報に対して、ネットワーク機器の通信状況が付加される。
【００２５】
次に、管理装置３は、携帯端末５へ機器設置場所情報を送信する機器設置場所情報送信手段１５としての管理ソフトの動作として、このデータベースの機器設置場所情報を携帯端末５へ送信する（ステップＳ２７）。
【００２６】
携帯端末５は、機器設置場所情報を受信すると、機器設置場所情報を表示する機器設置場所情報表示手段１３としての位置検索ソフトの動作として、表示部１０に機器設置場所情報を表示する。図７に示すように、機器設置場所情報は、携帯端末５のユーザインターフェースである表示部１０に機器設置場所一覧として表示される（ステップＳ２８）。表示部１０の上側には、機器設置場所情報をツリー状に階層化された情報として表示される（ステップＳ２９）。
【００２７】
ここでは例として、ＳＷ３を探す場合について、図７を参照して考える。表示部１０の上側には、データベースの階層構造と現在参照している階層が示される。表示部１０の下側には、現在参照している階層に属するネットワーク機器のＩＰアドレス、機器設置場所、通信状況、発光部８ａ、８ｂ（図中、「点灯」）、ブザーの状態（「実行」または「停止」）の情報が表示されている。
【００２８】
最初の機器設置場所一覧が表示された状態では、管理装置３に登録されている全てのネットワーク機器の情報が、表示部１０の下部に表示されている。
【００２９】
表示部１０の上部のＡの階層について参照すると、表示部１０の上部にはＡの階層中の１Ｆ、２Ｆが表示される（ステップＳ３０）。このとき、表示部１０の下部には１Ｆ、２Ｆの階層に属するネットワーク機器の情報が表示される。
【００３０】
同様に操作していくと、図７のように、Ａ−２Ｆ−ＬＡＢのＬＡＢ階層の情報が、表示部１０の下部に表示される。
【００３１】
ユーザは表示部１０の下部の表示から、各ネットワーク機器の位置報知手段である発光部８ａ、８ｂ、ブザーの状態を確認、それぞれを実行または停止することができる。
【００３２】
ユーザは、携帯端末５上で設置場所を検知したいネットワーク機器、ここではＳＷ３を選択して決定し、ＳＷ３の発光部８ａ、８ｂ、ブザーの状態を「実行」に設定する（ステップＳ３１）。携帯端末５は、設置場所を検知したいネットワーク機器の情報を管理装置へ送信する機器情報送信手段１４としての位置検索ソフトの動作として、ＳＷ３に相当するネットワーク機器２ａ、２ｂの情報と、発光部８ａ、８ｂとブザーの動作ついての情報を管理装置３へ送信する（ステップＳ３２）。
【００３３】
管理装置３は、携帯端末５からネットワーク機器２ａ、２ｂの情報を受信すると、ネットワーク機器２ａ、２ｂとの接続を確立する。接続を確立したのちに、管理装置３は、ネットワーク機器へ位置報知手段を動作させることを指示する位置報知指示手段１７としての管理ソフトの動作として、発光部８ａ、８ｂとブザーが「実行」の状態となるように、ネットワーク機器２ａ、２ｂに対して命令を送信する（ステップＳ３３）。
【００３４】
ネットワーク機器２ａ、２ｂは、受信した命令に従って、発光部８ａ、８ｂ、ブザーの動作を「実行」に変更する。
【００３５】
図７の例では、ＳＷ３を探すことを目的としているので、ＳＷ３に相当するネットワーク機器２ａ、２ｂが、発光部８ａ、８ｂを点灯させるとともに、ブザーを鳴らすように動作する。
【００３６】
発光部８ａ、８ｂが点灯し、ブザーが鳴ることによって、ユーザは探しているネットワーク機器の詳細な位置を検知することができる。
【００３７】
次に、本実施の形態のネットワーク機器検知システム１の効果を説明する。
【００３８】
本実施の形態のネットワーク機器検知システム１によれば、ユーザはネットワーク機器の設置場所を携帯端末から探すことができる。ユーザは、アクセスポイント４を介してＩＰネットワーク６に接続できる環境であれば、どこからでも携帯端末５から管理装置３にアクセスして、機器設置場所情報を取得することができる。よって、ネットワーク機器２ａ、２ｂを探す際に管理装置３とネットワーク機器の間をユーザが移動する必要がなくなり、ネットワーク機器を探す手間を軽減することができる。
【００３９】
また、携帯端末５は無線通信により管理装置３にアクセスすることから、ケーブルに移動を拘束されることなくネットワーク機器を探すことができる。
【００４０】
携帯端末５は、管理装置３から送られてきた機器設置場所情報を表示し、発光部８ａ、８ｂとブザーに対しての「実行」「停止」等の命令を管理装置３に送ればよいだけであるので、処理速度が低性能なものであってもよい。機器設置場所情報のデータベースは、管理装置３が保持しているため、大容量の記憶媒体を必要としない。よって、データベースを集約した管理装置３を用いることによって、ネットワーク機器検知システム１の低コスト化につながる。
【００４１】
携帯端末５は、機器設置場所情報をツリー状に階層化された情報として表示することにより、ユーザにどこにどのネットワーク機器があるかについて視覚的に示すことができる。
【００４２】
管理装置３は、ネットワーク機器の接続確認を行う機器接続確認手段を備えることにより、携帯端末５に機器設置場所情報を送信する前に、ネットワーク機器の接続確認することができる。そして、管理装置３は、ネットワーク機器の最新の通信状況を機器設置場所情報に付加して、携帯端末５に送信することができる。
【００４３】
なお、本発明は上記した実施形態に限定されるものではなく、様々な変形形態が含まれる。例えば、上記した実施形態は本発明を分かりやすく説明するために詳細に説明したものであり、必ずしも説明した全ての構成を備えるものに限定されるものではない。
【００４４】
例えば、ネットワーク機器２ａ、２ｂの２台を記載したが、１台以上であれば何台であってもよい。
【００４５】
ネットワーク機器２ａ、２ｂの位置をユーザに知らせるための手段として、発光部８ａ、８ｂ、ブザーの両方を示したが、どちらか片方だけを有していてもよい。
【００４６】
発光部８ａ、８ｂやブザーの動作は、携帯端末５から停止できるとしたが、それぞれの動作がタイマーによって停止される機能を有していてもよい。
【符号の説明】
【００４７】
１          ネットワーク機器検知システム
２ａ，２ｂ  ネットワーク機器
３          管理装置
４          アクセスポイント
５          携帯端末
６          ＩＰネットワーク（ネットワーク）
７ａ，７ｂ  通信ポート
８ａ，８ｂ  発光部
【図１】
2013134516.tif 000003
【図２】
2013134516.tif 000004
【図３】
2013134516.tif 000005
【図４】
2013134516.tif 000006
【図５】
2013134516.tif 000007
【図６】
2013134516.tif 000008
【図７】
2013134516.tif 000009